(57)【要約】【課題】他の表示画面を狭小化することなく視認性が良好な走行速度表示画面を表示可能なホイール式作業機械の表示装置を提供する。【解決手段】ホイール式作業機械に、走行判定部１と、表示部７と、走行判定部１の出力信号に応じて表示部７の表示画面を制御する主制御部６とを備える。主制御部６は、走行判定部１の出力信号に基づいてホイール式作業機械が走行状態に切り換えられたか否かを判定し、走行状態に切り換えられていないと判定した場合には、ホイール式作業機械のオペレータによって選択された画面を表示部７に表示し、走行状態に切り換えられたと判定した場合には、それ以前の表示画面に関係なく、走行速度表示画面３１を表示部７に表示する。【選択図】図１
2008163674.tif 000002
【特許請求の範囲】
【請求項１】
ホイール式作業機械の運転室に備えられ、前記ホイール式作業機械の状態を画面表示する表示部と、前記ホイール式作業機械の各部の状態を検出し、検出された状態に応じた出力信号を各部毎に出力する検出部と、前記出力信号を受信し、受信された前記出力信号に応じて前記表示部に表示される画面を制御する制御部とを備えたホイール式作業機械の表示装置において、
前記制御部は、前記出力信号に基づいて前記ホイール式作業機械が走行状態に切り換えられたか否かを判定し、走行状態に切り換えられていないと判定した場合には、前記ホイール式作業機械のオペレータによって選択された画面を前記表示部に表示し、走行状態に切り換えられたと判定した場合には、それ以前の表示画面に関係なく、走行速度表示画面を前記表示部に表示することを特徴とするホイール式作業機械の表示装置。
【請求項２】
画面表示操作部をさらに備え、前記制御部により前記ホイール式作業機械が走行状態に切り換えられていないと判定されている場合には、前記画面表示操作部をオペレータが操作することにより選択された画面を前記表示部に表示することを特徴とする請求項１に記載のホイール式作業機械の表示装置。
【請求項３】
前記検出部として、ホイール式作業機械に備えられたシフトレバーが走行状態に切り換えられたか否かを検出する走行判定部を備え、前記制御部は、前記走行判定部の出力信号を受信したとき、前記ホイール式作業機械が走行状態に切り換えられたと判定して、前記表示部に走行速度表示画面を表示することを特徴とする請求項１に記載のホイール式作業機械の表示装置。
【発明の詳細な説明】
【技術分野】
【０００１】
本発明は、ホイール式作業機械の表示装置に係り、特に、ホイール式作業機械が非走行状態から走行状態に切り換えられた場合における表示装置への走行速度表示画面の表示方式に関する。
【背景技術】
【０００２】
ホイール式作業機械は、一般道を走行可能な性能を有しているので、道路交通法の規定により、少なくとも一般道を走行する場合においては、オペレータに走行速度を表示することが義務付けられている。
【０００３】
近年、建設機械等の作業機械の分野においても、表示装置の電子化が進んでおり、従来より、作業機械の稼働状態に応じた各種の画面を１つの表示装置上に表示することが行われている。本願出願人は先に、油圧ショベル等の建設機械の運転室内に配置される表示装置として、表示装置の画面部を複数の領域に分割し、分割された複数の領域のうち１乃至複数の領域は予め決められた情報を表示するための固定表示領域とし、その他の領域は表示制御部に入力される情報の中から選択可能な情報が表示される可変表示領域として画面部に表示するものを提案した（例えば、特許文献１参照。）。
【０００４】
この技術をホイール式作業機械に応用すれば、エンジンを始動した状態を表示する基本画面や吊り作業時の状態を表示する吊り作業表示画面を固定表示領域に表示し、走行速度表示画面を可変表示領域に表示することにより、基本画面又は作業表示画面に表示される各種の情報と共に走行速度情報をオペレータに表示することができる。
【特許文献１】特開２００６−０１６９１５号公報
【発明の開示】
【発明が解決しようとする課題】
【０００５】
しかしながら、かかる表示方式によると、表示部に走行速度表示画面を表示しない状態においては、可変表示領域がブランクになるので、相対的に固定表示領域が狭くなり、当該領域に表示される画面が小さく視認しにくいものになりやすい。
【０００６】
本発明は、かかる従来技術の不備を解決するためになされたものであり、その目的は、他の表示画面を狭小化することなく視認性が良好な走行速度表示画面を表示可能なホイール式作業機械の表示装置を提供することにある。
【課題を解決するための手段】
【０００７】
本発明は、前記課題を解決するため、第１に、ホイール式作業機械の運転室に備えられ、前記ホイール式作業機械の状態を画面表示する表示部と、前記ホイール式作業機械の各部の状態を検出し、検出された状態に応じた出力信号を各部毎に出力する検出部と、前記出力信号を受信し、受信された前記出力信号に応じて前記表示部に表示される画面を制御する制御部とを備えたホイール式作業機械の表示装置において、前記制御部は、前記出力信号に基づいて前記ホイール式作業機械が走行状態に切り換えられたか否かを判定し、走行状態に切り換えられていないと判定した場合には、前記ホイール式作業機械のオペレータによって選択された画面を前記表示部に表示し、走行状態に切り換えられたと判定した場合には、それ以前の表示画面に関係なく、走行速度表示画面を前記表示部に表示するという構成にした。
【０００８】
かかる構成によると、制御部によりホイール式作業機械が走行状態に切り換えられたと判定されたとき、それ以前の表示画面に関係なく、表示部に走行速度表示画面を含む画面が表示されるので、ホイール式作業機械が走行状態に切り換えられたと判定される以前の表示画面については何ら走行速度表示画面に影響されずに表示部に必要な大きさで表示することができ、その視認性を高めることができる。また、走行速度表示画面についても、他の画面に影響されずに表示部に必要な大きさで表示できるので、その視認性を高めることができる。
【０００９】
また本発明は第２に、前記第１の構成のホイール式作業機械の表示装置において、画面表示操作部をさらに備え、前記制御部により前記ホイール式作業機械が走行状態に切り換えられていないと判定されている場合には、前記画面表示操作部をオペレータが操作することにより選択された画面を前記表示部に表示するという構成にした。
【００１０】
かかる構成によると、画面表示操作部を操作することによって各種の画面を任意に表示部に表示させることができるので、ホイール式作業機械における表示部の有用性を高めることができる。
【００１１】
また本発明は第３に、前記第１の構成のホイール式作業機械の表示装置において、前記検出部として、ホイール式作業機械に備えられたシフトレバーが走行状態に切り換えられたか否かを検出する走行判定部を備え、前記制御部は、前記走行判定部の出力信号を受信したとき、前記ホイール式作業機械が走行状態に切り換えられたと判定して、前記表示部に走行速度表示画面を表示するという構成にした。
【００１２】
かかる構成によると、シフトレバーが走行状態に切り換えられたときに制御部が表示部の画面を走行速度表示画面に切り換えるので、ホイール式作業機械の走行時において表示部に走行速度表示画面を確実に表示することができる。
【発明の効果】
【００１３】
本発明に係るホイール式作業機械の表示装置は、制御部によりホイール式作業機械が走行状態に切り換えられたと判定された場合には、それ以前の表示画面に関係なく、走行速度表示画面を前記表示部に表示するので、ホイール式作業機械が走行状態に切り換えられたと判定される以前の表示画面については何ら走行速度表示画面に影響されずに表示部に必要な大きさで表示することができる。また、走行速度表示画面についても、他の画面に影響されずに表示部に必要な大きさで表示できる。よって、ホイール式作業機械が走行状態に切り換えられたか否かに関わりなく、常に表示部に表示される画面の視認性を高めることができる。
【発明を実施するための最良の形態】
【００１４】
以下、本発明に係るホイール式作業機械の表示装置の実施形態を図１乃至図３に基づいて説明する。図１は実施形態に係る表示装置の構成図、図２は表示部に表示されるメインメニュー画面を示す説明図、図３は走行時の表示画面を示す説明図である。
【００１５】
図１に示すように、本例のホイール式作業機械の表示装置は、走行判定部１と、速度検出部２と、クレーンデータ検出部３と、これら各検出部１，２，３の出力信号を受信する受信装置４と、アワーメータ５と、前記受信装置４の出力信号及び前記アワーメータ５の出力信号が入力される主制御部（ＣＰＵ）６と、表示部７と、表示部７の表示画面を切り換える画面表示操作部８と、主制御部６からの指令に基づいて所要の画像データを生成し、表示部７にその画像データを表示する画像処理制御装置９と、画像処理制御装置９にて生成された画像データを記憶する画像データ記憶部１０と、画像処理制御装置８を介して表示部７に撮像データを表示する死角監視カメラ１１とから主に構成されている。
【００１６】
走行判定部１は、ホイール式作業機械が走行状態に切り換えられているか否かを検出するもので、ホイール式作業機械を走行状態又は非走行状態に切り換えるシフトレバーなどに備えられ、例えばシフトレバーが走行位置に切り換えられたときに、ホイール式作業機械が走行状態に切り換えられたことを示す１ビットの走行判定フラグを出力し、シフトレバーがニュートラル位置に切り換えられたときに、ホイール式作業機械が非走行状態に切り換えられたことを示す１ビットの走行判定フラグを出力するようになっている。速度検出部２は、ホイール式作業機械の走行速度を検出するもので、例えばホイール式作業機械の車軸などに備えられる。クレーンデータ検出部３は、ホイール式作業機械がクレーンを用いた吊り作業状態に切り換えられているか否か、クレーン高さの現在値、クレーン半径の現在値、及び当該クレーンに作用している実荷重などを検出するもので、それぞれクレーンの所定の部位に備えられる。本例の表示装置を構成するその他の装置は、ホイール式作業機械の運転室内に備えられ、そのうち表示部７は、運転席に搭乗したオペレータが画面を視認できる位置に設置される。
【００１７】
主制御部６は、受信装置４を介して走行判定部１から入力される走行判定フラグに基づいて、ホイール式作業機械が走行状態に切り換えられたか否かを判定する。また、主制御部６は、受信装置４を介してクレーンデータ検出部３から入力されるクレーンデータに基づいて、ホイール式作業機械が吊り作業状態に切り換えられたか否かを判定する。
【００１８】
ホイール式作業機械のエンジンが始動され、かつ走行判定部１からホイール式作業機械が走行状態に切り換えられたことを示す走行判定フラグが出力されていない状態においては、図２に例示するメインメニュー画面２０が表示部７に表示される。本例のメインメニュー画面２０には、時刻設定欄２１、ＡＴＴ調整欄２２、稼働状況欄２３、メンテナンス設定欄２４、下スクロールキー２５、上スクロールキー２６、エンターキー２７及びリターンキー２８が表示されている。ホイール式作業機械のオペレータは、画面表示操作部８に備えられた所望のスイッチ８ａ〜８ｎを操作することにより、メインメニュー画面２０に表示された４つの欄２１〜２４の選択、及び選択された欄に関連する画面の表示部７への表示を行うことができる。
【００１９】
主制御部６によってホイール式作業機械が非走行状態から走行状態に切り換えられたと判定されると、主制御部６は、画像処理制御装置９に、図３に例示する走行時表示画面３０を生成して表示部７上に表示する指令を発する。画像処理制御装置９は、当該指令に応じて走行時表示画面３０の生成、表示部７への表示、並びに画像データ記憶部１０への記憶とを行う。これにより、表示部７の表示画面は、それ以前の表示画面がいかなるものであるかに拘わらず、走行時表示画面３０に切り換えられる。なお、本例の走行時表示画面３０には、走行速度表示画面３１、水温表示画面３２、燃料残量表示画面３３、アワーメータ表示画面３４、作業状態表示画面３５及び現在時刻表示画面３６が含まれる。
【００２０】
このように、本例のホイール式作業機械の表示装置は、主制御部６によってホイール式作業機械が非走行状態から走行状態に切り換えられたと判定されたとき、表示部７の表示画面が自動的に走行速度表示画面３１を含む走行時表示画面３０に切り換えられるので、ホイール式作業機械の一般道走行が可能になる。
【００２１】
また、本例のホイール式作業機械の表示装置は、主制御部６によりホイール式作業機械が走行状態に切り換えられたと判定されたとき、それ以前の表示画面に関係なく、表示部７に走行速度表示画面３１を含む走行時表示画面３０を表示するので、ホイール式作業機械が走行状態に切り換えられたと判定される以前の表示画面については何ら走行速度表示画面３１を表示するためのスペースを設ける必要がなく、必要な画面を必要な大きさで表示部７に表示することができる。また、走行速度表示画面３１についても、非走行時に表示される他の画面に影響されずに表示部７に必要な大きさで表示できるので、その視認性を高めることができる。
【００２２】
さらに、本例のホイール式作業機械の表示装置は、画面表示操作部８を備えたので、主制御部６によりホイール式作業機械が走行状態に切り換えられていないと判定されている場合には、画面表示操作部８を操作することによって各種の画面を任意に表示部７に表示させることができるので、ホイール式作業機械における表示部の有用性を高めることができる。
【００２３】
加えて、本例のホイール式作業機械の表示装置は、ホイール式作業機械に備えられたシフトレバーが走行状態に切り換えられたか否かを検出する走行判定部１を備え、主制御部６は、当該走行判定部１の出力信号を受信したときに、ホイール式作業機械が走行状態に切り換えられたと判定して表示部７に走行速度表示画面３１を表示するので、ホイール式作業機械の走行時において表示部７に走行速度表示画面３１を確実に表示することができる。
【００２４】
なお、前記実施形態においては、走行時表示画面３０に、走行速度表示画面３１と、水温表示画面３２と、燃料残量表示画面３３と、アワーメータ表示画面３４と、作業状態表示画面３５と、現在時刻表示画面３６を含めたが、本発明の要旨はこれに限定されるものではなく、走行時表示画面３０は、走行速度表示画面３１だけからなる構成とすることもできるし、走行速度表示画面３１と上記各画面以外の画面との組み合わせとすることもできる。
【図面の簡単な説明】
【００２５】
【図１】実施形態に係る表示装置の構成図である。
【図２】表示部に表示されるメインメニュー画面を示す説明図である。
【図３】走行時の表示画面を示す説明図である。
【符号の説明】
【００２６】
１    走行判定部
２    速度検出部
３    クレーンデータ検出部
６    主制御部（ＣＰＵ）
７    表示部
８    画面表示操作部
９    画像処理制御装置
２０    メインメニュー画面
３０    走行時表示画面
３１    走行速度表示画面
【図１】
2008163674.tif 000003
【図２】
2008163674.tif 000004
【図３】
2008163674.tif 000005